(57)【要約】【課題】  親ドキュメントの任意範囲に組込まれた子ドキュメントを的確に表示しつ、親子のドキュメントを一括編集できるＷｅｂページ編集画面を提供する。【解決手段】  編集対象Ｗｅｂページの関連ドキュメントは管理対象ドキュメント１２５としてその内容を個々に管理される。手段１０２は、ドキュメント別構造情報１２６を導出する。手段１０３は、組込み関連コードに基づきドキュメント別構造情報１２６を結合することによりＷｅｂページ構造情報１２７を作成する。編集画面データは、管理対象ドキュメント１２５の内容とＷｅｂページ構造情報１２７とに基づき生成され、ブラウザ画面形式の編集画面１２８を生成する。手段１０７は、編集箇所の存在する該当管理対象ドキュメント１２５の内容を編集画面１２８上の編集内容に同期させる。生成手段１０５は編集画面データを編集画面１２８上の編集内容に整合させる。【選択図】      図１
2006163535.tif 000002
【特許請求の範囲】
【請求項１】
編集対象Ｗｅｂページの各部分を構成又は生成するドキュメントを管理対象ドキュメントとしてその内容を個々に管理するドキュメント別管理手段、
各管理対象ドキュメントの内容から、所定の組込み位置に他の編集対象ドキュメントを組込むための組込み関連コードを含む、各管理対象ドキュメントの構造情報をドキュメント別構造情報として導出するドキュメント別構造情報導出手段、
各ドキュメント別構造情報における組込み関連コードに基づきドキュメント別構造情報を結合することにより前記編集対象Ｗｅｂページの構造情報をＷｅｂページ構造情報として作成するＷｅｂページ構造情報作成手段、
編集対象ドキュメントのタグ内容を視覚表現に変換した編集画面を生成するためのデータを、前記管理対象ドキュメントの内容と前記Ｗｅｂページ構造情報とに基づき生成する編集画面データ生成手段、
編集画面を前記編集画面データに基づき生成する編集画面生成手段、
編集画面上の編集箇所に該当する箇所を含む管理対象ドキュメントを該当管理対象ドキュメントとして検出する該当管理対象ドキュメント検出手段、及び
編集画面上の編集作業に基づき該当管理対象ドキュメントの内容を編集画面上の編集内容に同期させる同期手段を含み、
前記編集画面データ生成手段が、編集画面上の編集作業に基づき編集画面データを編集画面上の編集内容に整合させる、
ことを特徴とするＷｅｂページ・オーサリング装置。
【請求項２】
前記編集画面データ生成手段は、前記編集画面データを編集画面上の編集内容に整合させるために、前記管理対象ドキュメントの内容と前記Ｗｅｂページ構造情報との同期に基づき編集画面データを更新することを特徴とする請求項１記載のＷｅｂページ・オーサリング装置。
【請求項３】
編集対象Ｗｅｂページを補助記憶装置にセーブする場合、該編集対象Ｗｅｂページの関連管理対象ドキュメントであって少なくとも内容更新のあった前記管理対象ドキュメントをセーブするセービング手段、及び
編集対象Ｗｅｂページをその編集開始に先立ち補助記憶装置からロードする場合、該編集対象Ｗｅｂページの関連ドキュメントを全部、ロードするローディング手段、
をさらに有し、
前記ドキュメント別管理手段が、ロードされた関連ドキュメントを管理対象ドキュメントとしてその内容を個々に管理することを特徴とする請求項１記載のＷｅｂページ・オーサリング装置。
【請求項４】
前記ローディング手段が、
再編集する編集対象Ｗｅｂページの関連管理対象ドキュメントの中から最上位管理対象ドキュメントをロードする手段、及び
ロードした管理対象ドキュメントに、該管理対象ドキュメントより階層が１個下位の管理対象ドキュメントが組込まれるようになっている場合には、該１個下位の管理対象ドキュメントを前記補助記憶装置からロードする手段、
を有していることを特徴とする請求項３記載のＷｅｂページ・オーサリング装置。
【請求項５】
前記同期手段は、編集画面上において編集対象ドキュメントが新規追加される編集作業が行なわれた場合には、該編集対象ドキュメントに対応付ける管理対象ドキュメントを追加するように、編集画面上のドキュメントの追加に管理対象ドキュメントの追加を同期させることを特徴とする請求項１記載のＷｅｂページ・オーサリング装置。
【請求項６】
前記同期手段は、編集画面上において編集対象ドキュメントが削除される編集作業が行なわれた場合には、該当管理対象ドキュメントを削除するように、編集画面上の編集対象ドキュメントの削除に該当管理対象ドキュメントの削除を同期させることを特徴とする請求項１記載のＷｅｂページ・オーサリング装置。
【請求項７】
Ｗｅｂページは構造化ドキュメントであり、前記Ｗｅｂページの各関連ドキュメントは、構造化ドキュメント又は構造化ドキュメント生成用のドキュメントであることを特徴とする請求項１記載のＷｅｂページ・オーサリング装置。
【請求項８】
前記ドキュメント別構造情報は木構造情報であり、Ｗｅｂページ構造情報は、或る管理対象ドキュメントの木構造情報における組込み関連コード用ノードに対し、該組込み関連コード用ノードにより前記或る管理対象ドキュメントへ組込まれる別の管理対象ドキュメントのルート・ノードを結合する管理対象ドキュメント間関係により、全部の管理対象ドキュメントの木構造情報を結合した木構造情報であることを特徴とする請求項７記載のＷｅｂページ・オーサリング装置。
【請求項９】
前記編集画面がブラウザ画面形式編集画面であることを特徴とする請求項１〜８のいずれかに記載のＷｅｂページ・オーサリング装置。
【請求項１０】
編集対象Ｗｅｂページの各部分を構成又は生成するドキュメントを管理対象ドキュメントとしてその内容を個々に管理するドキュメント別管理ステップ、
各管理対象ドキュメントの内容から、所定の組込み位置に他の編集対象ドキュメントを組込むための組込み関連コードを含む、各管理対象ドキュメントの構造情報をドキュメント別構造情報として導出するドキュメント別構造情報導出ステップ、
各ドキュメント別構造情報における組込み関連コードに基づきドキュメント別構造情報を結合することにより前記編集対象Ｗｅｂページの構造情報をＷｅｂページ構造情報として作成するＷｅｂページ構造情報作成ステップ、
編集対象ドキュメントのタグ内容を視覚表現に変換した編集画面を生成するためのデータを、前記管理対象ドキュメントの内容と前記Ｗｅｂページ構造情報とに基づき生成する編集画面データ生成ステップ、
編集画面を前記編集画面データに基づき生成する編集画面生成ステップ、
編集画面上の編集箇所に該当する箇所を含む管理対象ドキュメントを該当管理対象ドキュメントとして検出する該当管理対象ドキュメント検出ステップ、及び
編集画面上の編集作業に基づき該当管理対象ドキュメントの内容を編集画面上の編集内容に同期させる同期ステップを含み、
前記編集画面データ生成ステップでは、編集画面上の編集作業に基づき編集画面データを編集画面上の編集内容に整合させる、
ことを特徴とするＷｅｂページ・オーサリング方法。
【請求項１１】
前記編集画面データ生成ステップでは、前記編集画面データを編集画面上の編集内容に整合させるために、前記管理対象ドキュメントの内容と前記Ｗｅｂページ構造情報との同期に基づき編集画面データを更新することを特徴とする請求項１０記載のＷｅｂページ・オーサリング方法。
【請求項１２】
編集対象Ｗｅｂページを補助記憶方法にセーブする場合、該編集対象Ｗｅｂページの関連管理対象ドキュメントであって少なくとも内容更新のあった前記管理対象ドキュメントをセーブするセービング・ステップ、及び
編集対象Ｗｅｂページをその編集開始に先立ち補助記憶方法からロードする場合、該編集対象Ｗｅｂページの関連ドキュメントを全部、ロードするローディング・ステップをさらに有し、
前記ドキュメント別管理ステップでは、ロードされた関連ドキュメントを管理対象ドキュメントとしてその内容を個々に管理することを特徴とする請求項１０記載のＷｅｂページ・オーサリング方法。
【請求項１３】
前記ローディング・ステップが、
再編集する編集対象Ｗｅｂページの関連管理対象ドキュメントの中から、最初に最上位管理対象ドキュメントをロードするステップ、及び
ロードした管理対象ドキュメントに、該管理対象ドキュメントより階層が１個下位の管理対象ドキュメントが組込まれるようになっている場合には、該１個下位の管理対象ドキュメントを前記補助記憶方法からロードするステップ、
を有していることを特徴とする請求項１０記載のＷｅｂページ・オーサリング方法。
【請求項１４】
前記同期ステップでは、編集画面上において編集対象ドキュメントが新規追加される編集作業が行なわれた場合には、該編集対象ドキュメントに対応付ける管理対象ドキュメントを追加するように、編集画面上のドキュメントの追加に管理対象ドキュメントの追加を同期させることを特徴とする請求項１０記載のＷｅｂページ・オーサリング方法。
【請求項１５】
前記同期ステップでは、編集画面上において編集対象ドキュメントが削除される編集作業が行なわれた場合には、該当管理対象ドキュメントを削除するように、編集画面上の編集対象ドキュメントの削除に該当管理対象ドキュメントの削除を同期させることを特徴とする請求項１０記載のＷｅｂページ・オーサリング方法。
【請求項１６】
Ｗｅｂページは構造化ドキュメントであり、前記Ｗｅｂページの各関連ドキュメントは、構造化ドキュメント又は構造化ドキュメント生成用のドキュメントであることを特徴とする請求項１０記載のＷｅｂページ・オーサリング方法。
【請求項１７】
前記ドキュメント別構造情報は木構造情報であり、Ｗｅｂページ構造情報は、或る管理対象ドキュメントの木構造情報における組込み関連コード用ノードに対し、該組込み関連コード用ノードにより前記或る管理対象ドキュメントへ組込まれる別の管理対象ドキュメントのルート・ノードを結合する管理対象ドキュメント間関係により、全部の管理対象ドキュメントの木構造情報を結合した木構造情報であることを特徴とする請求項１６記載のＷｅｂページ・オーサリング方法。
【請求項１８】
前記編集画面がブラウザ画面形式編集画面であることを特徴とする請求項９〜１７のいずれかに記載のＷｅｂページ・オーサリング方法。
【請求項１９】
請求項１〜９のいずれかに記載のＷｅｂページ・オーサリング装置の各手段をコンピュータに機能させるためのプログラム。
【請求項２０】
記録されているデータがコンピュータ読み取り可能となっている記録媒体と、
Ｗｅｂページ・オーサリング方法の各ステップをコンピュータに実行させるためのプログラムであって前記記録媒体に記録されるプログラムと、
を有しているプログラム・プロダクトであって、
前記Ｗｅｂページ・オーサリング方法は、
編集対象Ｗｅｂページの各部分を構成又は生成するドキュメントを管理対象ドキュメントとしてその内容を個々に管理するドキュメント別管理ステップ、
各管理対象ドキュメントの内容から、所定の組込み位置に他の編集対象ドキュメントを組込むための組込み関連コードを含む、各管理対象ドキュメントの構造情報をドキュメント別構造情報として導出するドキュメント別構造情報導出ステップ、
各ドキュメント別構造情報における組込み関連コードに基づきドキュメント別構造情報を結合することにより前記編集対象Ｗｅｂページの構造情報をＷｅｂページ構造情報として作成するＷｅｂページ構造情報作成ステップ、
編集対象ドキュメントのタグ内容を視覚表現に変換した編集画面を生成するためのデータを、前記管理対象ドキュメントの内容と前記Ｗｅｂページ構造情報とに基づき生成する編集画面データ生成ステップ、
編集画面を前記編集画面データに基づき生成する編集画面生成ステップ、
編集画面上の編集箇所に該当する箇所を含む管理対象ドキュメントを該当管理対象ドキュメントとして検出する該当管理対象ドキュメント検出ステップ、及び
編集画面上の編集作業に基づき該当管理対象ドキュメントの内容を編集画面上の編集内容に同期させる同期ステップを含み、
前記編集画面データ生成ステップでは、編集画面上の編集作業に基づき編集画面データを編集画面上の編集内容に整合させる、
ことを特徴とするプログラム・プロダクト。
【発明の詳細な説明】
【技術分野】
【０００１】
本発明は、Ｗｅｂページを編集するＷｅｂページ・オーサリング装置、Ｗｅｂページ・オーサリング方法及びプログラムに係り、詳しくはＷｅｂページの編集画面を改善したＷｅｂページ・オーサリング装置、Ｗｅｂページ・オーサリング方法及びプログラムに関するものである。
【背景技術】
【０００２】
Ｗｅｂページ・オーサリング・ツールとして周知のＰａｇｅ  Ｄｅｓｉｇｎｅｒ及びＤｒｅａｍｗｅａｖｅｒ（登録商標）は、ＨＴＭＬドキュメントを、ソース・コードで直接、編集する編集画面の他に、該ＨＴＭＬドキュメントがＷｅｂクライアントのブラウザ画面の表示状態とほぼ同一の表示状態の編集画面（以下、適宜、「ブラウザ画面近似編集画面」という。）を用意し、編集者がブラウザ画面近似編集画面でＨＴＭＬドキュメントを能率的に編集できるようにしている。
【０００３】
一方、ＪＳＰ（ＪａｖａＳｅｒｖｅｒ  Ｐａｇｅｓ：商標）ドキュメントは、Ｗｅｂサーバーの記憶装置にストアされ、ＷｅｂページとしてのＨＴＭＬドキュメントを生成する。ＪＳＰドキュメントでは、jsp:include、jsp:directive.include等のコードを使って、該ＪＳＰドキュメント内に、他ドキュメントを組込むことができるようになっている。
【０００４】
説明の便宜上、Ｗｅｂページを構成又は生成するドキュメントにおいて、他のドキュメントを組込もうとするドキュメントを「親ドキュメント」と呼び、該他のドキュメントを「子ドキュメント」と呼ぶことにする。
【０００５】
図１２は従来のＷｅｂページ・オーサリング・ツール６００のブラウザ画面近似編集画面６０１における親ドキュメント６０２の表示状態を示している。子ドキュメントは、親ドキュメント６０２における組込み位置にアイコン６０３等として表示されるのみであり、その具体的内容は表示されない。
【０００６】
図１３は従来のＷｅｂページ・オーサリング・ツール６００によるブラウザ画面形式のフレーム編集画面６１０を示している。親ドキュメントには、ブラウザ画面を例えば左右に２分割する指示や、左右の各フレーム内にそれぞれ組込む子ドキュメント６１１，６１２の指定が含められる。編集者は、親ドキュメント内に組込まれているフレーム内文書としての複数の子ドキュメントを、それらがブラウザに実際に表示される表示状態のフレーム編集画面６１０で、編集することができるようになっている。
【０００７】
図１４はワードプロセッサとしてのＭｉｃｒｏｓｏｆｔ（登録商標）  Ｗｏｒｄの編集画面６３０を示している。親ドキュメント６３１がＭｉｃｒｏｓｏｆｔ（登録商標）  Ｗｏｒｄにより編集されているドキュメントであるの対し、子ドキュメント６３２がＭｉｃｒｏｓｏｆｔ（登録商標）  Ｗｏｒｄとは異なるアプリケーション・ソフトウェアで編集されている場合には、親ドキュメント６３１内に組込まれて表示される子ドキュメント６３２の表示画面部分上をダブル・クリックすれば、該異なるアプリケーション・ソフトウェアが起動して、該異なるアプリケーション・ソフトウェアにより子ドキュメント６３２を編集可能となる。また、子ドキュメント６３２の表示は矩形枠６３３内とされ、矩形枠以外の表示枠での表示は無理となっている。子ドキュメント６３２もＭｉｃｒｏｓｏｆｔ（登録商標）  Ｗｏｒｄにより編集されたものである場合は、子ドキュメント６３２が親ドキュメント６３１に組込まれてからは、子ドキュメント６３２の内容が親ドキュメント６３１の内容になってしまい、親ドキュメント６３１上で、組込み文章を編集しても、編集内容が子ドキュメント６３２に反映されることはない。
【０００８】
特許文献１の構造化文書処理装置は、１個の統合ドキュメントを複数個の部分ドキュメント（例えば第１章の部分ドキュメント、第２章の部分ドキュメント、・・・）に分割し、各部分ドキュメントをセーブ及びロードの単位とし（特許文献１の図２及び図３のｄｏｃ−ａ，ｄｏｃ−ｂ，・・・ｄｏｃ−Ｆ）、複数の編集者が、データの一貫性を確保しつつ、各部分ドキュメントの編集を可能にしている。該構造化文書処理装置は、統合ドキュメント及び部分ドキュメントの木構造情報ツリーを構築し、各部分ドキュメントの階層に基づき各部分ドキュメント間の接続を制御し、統合ドキュメントにおける各部分ドキュメントの論理順（ページ順）を管理する（特許文献１の図４〜図５）。
【特許文献１】特開平７−５６７８６号公報
【発明の開示】
【発明が解決しようとする課題】
【０００９】
図１２のＷｅｂページ・オーサリング・ツール６００のブラウザ画面近似編集画面６０１では、子ドキュメントの組込み位置がアイコン６０３で表示されるのみである。したがって、子ドキュメントが、親ドキュメント６０２内の指定位置に組込まれ、ブラウザ画面における親ドキュメント６０２及び子ドキュメントの表示状態を見ながら、それらドキュメントの編集をブラウザ画面近似編集画面６０１において行なうようになっていない。
【００１０】
図１３のＷｅｂページ・オーサリング・ツール６００によるフレーム編集画面６１０では、編集者は、親ドキュメントに組込まれる各子ドキュメント６１１，６１２を、それらが親ドキュメント内に組込まれた表示状態で、すなわちブラウザ画面近似編集画面で、編集可能になっているが、親ドキュメントへの子ドキュメント６１１，６１２の組込み形状は矩形に限定される。すなわち、Ｗｅｂページ用フレームでは、親ドキュメントは、例えば、<FRAMESET COLS="50%,50%">、<FRAME SRC="LEFT.html">及び<FRAME SRC="RIGHT.html">の記述により子ドキュメントLEFT.html及びRIGHT.htmlを組込むものであり、親ドキュメント自体のテキストや画像は表示されないとともに、子ドキュメントの先頭を親ドキュメントの任意の文字や画像の後ろや前に位置付けることができるようになっていない。また、親ドキュメントの本文としてのＢＯＤＹ（タグ名）は、フレーム編集画面６１０には表示されない。jsp:include、jsp:directive.include等は親ドキュメントの任意の構造箇所（ノード）に子ドキュメントを組込むことのできる組込み関連コードである。
【００１１】
図１４のワードプロセッサの編集画面６３０でも、親６３１における子ドキュメント６３２の組込み枠は、図１３のフレーム編集画面６１０と同様に、矩形に限定されるので、子ドキュメント６３２の先頭位置を親ドキュメント６３１の任意位置に設定して、それを編集画面６３０に表示することは困難である。さらに、子ドキュメント６３２が親ドキュメント６３１と同様に、Ｍｉｃｒｏｓｏｆｔ（登録商標）  Ｗｏｒｄのドキュメントである場合には、親ドキュメント６３１への子ドキュメント６３２への組込み後の編集画面６３１における子ドキュメント６３２の部分の編集は、その編集内容は子ドキュメント６３２には反映されず、親ドキュメント６３１の内容になってしまう。したがって、子ドキュメント６３２が他の親ドキュメントへも組込まれるようなときや、子ドキュメント６３２が他の親ドキュメント６３１の他の箇所にも組込まれるようになっているときには、他の親ドキュメントの子ドキュメント６３１の部分、及び親ドキュメント６３１の他の箇所も別途編集し直す必要がある。
【００１２】
Ｗｅｂページ・オーサリング・ツールとして周知のＰａｇｅ  Ｄｅｓｉｇｎｅｒ及びＤｒｅａｍｗｅａｖｅｒ（登録商標）は、編集画面において編集中のＷｅｂページについて、それが実際のブラウザ画面ではどう表示されるかを示すプレビュー画面を有し、かつプレビュー画面では、ブラウザを起動し、編集者は、編集中ドキュメントがブラウザで実際にどのように表示されるかを確認することができるようになっている。しかし、ブラウザ画面としてのプレビュー画面では編集はできない。
【００１３】
本発明の目的は、親ドキュメントへの子ドキュメントの組込み枠を矩形に限定されず、親ドキュメントへ子ドキュメントを組込んだ状態をそのまま表示するとともに、タグを表示せずに、タグ内容を視覚表現に変換した編集画面上で、親子のドキュメントを編集者が支障なく編集できるようにしたＷｅｂページ・オーサリング装置、Ｗｅｂページ・オーサリング方法及びプログラムを提供することである。
【課題を解決するための手段】
【００１４】
本発明のＷｅｂページ・オーサリング装置は、
編集対象Ｗｅｂページの各部分を構成又は生成するドキュメントを管理対象ドキュメントとしてその内容を個々に管理するドキュメント別管理手段、
各管理対象ドキュメントの内容から、所定の組込み位置に他の編集対象ドキュメントを組込むための組込み関連コードを含む、各管理対象ドキュメントの構造情報をドキュメント別構造情報として導出するドキュメント別構造情報導出手段、
各ドキュメント別構造情報における組込み関連コードに基づきドキュメント別構造情報を結合することにより編集対象Ｗｅｂページの構造情報をＷｅｂページ構造情報として作成するＷｅｂページ構造情報作成手段、
編集対象ドキュメントのタグ内容を視覚表現に変換した編集画面を生成するためのデータを、管理対象ドキュメントの内容とＷｅｂページ構造情報とに基づき生成する編集画面データ生成手段、
編集画面を編集画面データに基づき生成する編集画面生成手段、
編集画面上の編集箇所に該当する箇所を含む管理対象ドキュメントを該当管理対象ドキュメントとして検出する該当管理対象ドキュメント検出手段、及び
編集画面上の編集作業に基づき該当管理対象ドキュメントの内容を編集画面上の編集内容に同期させる同期手段を含み、
編集画面データ生成手段が、編集画面上の編集作業に基づき編集画面データを編集画面上の編集内容に整合させる。
【００１５】
本発明のＷｅｂページ・オーサリング方法は、
編集対象Ｗｅｂページの各部分を構成又は生成するドキュメントを管理対象ドキュメントとしてその内容を個々に管理するドキュメント別管理ステップ、
各管理対象ドキュメントの内容から、所定の組込み位置に他の編集対象ドキュメントを組込むための組込み関連コードを含む、各管理対象ドキュメントの構造情報をドキュメント別構造情報として導出するドキュメント別構造情報導出ステップ、
各ドキュメント別構造情報における組込み関連コードに基づきドキュメント別構造情報を結合することにより編集対象Ｗｅｂページの構造情報をＷｅｂページ構造情報として作成するＷｅｂページ構造情報作成ステップ、
編集対象ドキュメントのタグ内容を視覚表現に変換した編集画面を生成するためのデータを、管理対象ドキュメントの内容とＷｅｂページ構造情報とに基づき生成する編集画面データ生成ステップ、
編集画面を編集画面データに基づき生成する編集画面生成ステップ、
編集画面上の編集箇所に該当する箇所を含む管理対象ドキュメントを該当管理対象ドキュメントとして検出する該当管理対象ドキュメント検出ステップ、及び
編集画面上の編集作業に基づき該当管理対象ドキュメントの内容を編集画面上の編集内容に同期させる同期ステップを含み、
編集画面データ生成ステップでは、編集画面上の編集作業に基づき編集画面データを編集画面上の編集内容に整合させる。
【００１６】
本発明のプログラムは、コンピュータを前述のＷｅｂページ・オーサリング装置の各手段として機能させるものである。本発明のプログラムは、また、コンピュータに前述のＷｅｂページ・オーサリング方法の各ステップを実行させるものである。本発明のプログラム・プロダクトは、記録されたデータがコンピュータ読み取り可能な記録媒体と、該記録媒体に記録された前述のプログラムとを有している。
【発明の効果】
【００１７】
本発明では、編集対象ドキュメントのタグ内容を視覚表現に変換した編集画面が使用される。そして、編集対象Ｗｅｂページを構成する各管理対象ドキュメントは、それらの内容に関しては、それらを一体化した編集対象Ｗｅｂページとして管理されず、管理対象ドキュメントとして個々に管理される一方、該編集画面を生成するための編集画面データは、各管理対象ドキュメント自体の構造情報としてのドキュメント別構造情報を組込み関連コードにより結合したＷｅｂページ構造情報に基づき生成される。したがって、子ドキュメントは、その先頭構造部位を、親ドキュメントの組込み関連コードにより任意に指定された構造部位に組込まれた情報を含む編集画面データが生成され、子ドキュメントの組込枠が矩形に限定されない編集画面が生成されるとともに、該編集画面における編集内容を、対応する親ドキュメント及び子ドキュメントの編集内容として適切に反映することができる。
【発明を実施するための最良の形態】
【００１８】
図１はＷｅｂページ・オーサリング装置１００の機能ブロック図である。Ｗｅｂページ・オーサリング装置１００は、ドキュメント別管理手段１０１、ドキュメント別構造情報導出手段１０２、Ｗｅｂページ構造情報作成手段１０３、ブラウザ画面形式編集画面データ生成手段１０４、ブラウザ画面形式編集画面生成手段１０５、該当管理対象ドキュメント検出手段１０６及び同期手段１０７を有している。１個のＷｅｂページの各部分を構成又は生成するドキュメントを該Ｗｅｂページの関連ドキュメントと呼ぶことにする。ドキュメント別管理手段１０１は、編集対象Ｗｅｂページの関連ドキュメントを管理対象ドキュメント１２５としてその内容を個々に管理する。編集対象ドキュメントは、その中に記述される組込み関連コードに基づき他の編集対象ドキュメントを指定して所定の組込み位置に該他の編集対象ドキュメントを組込むようになっている。また、編集対象Ｗｅｂページは、組込み関連コードにより結合される複数個の管理対象ドキュメント１２５に基づき、全体を構成されるようになっている。ドキュメント別構造情報導出手段１０２は、各管理対象ドキュメント１２５の内容から各管理対象ドキュメント１２５の構造情報をドキュメント別構造情報１２６として導出する。Ｗｅｂページ構造情報作成手段１０３は、各ドキュメント別構造情報１２６における組込み関連コードに基づきドキュメント別構造情報１２６を結合することにより編集対象Ｗｅｂページの構造情報をＷｅｂページ構造情報１２７として作成する。
【００１９】
編集対象ドキュメントに対し、そのタグを表示せずに、タグ内容を視覚表現に変換した画面上で該編集対象ドキュメントの編集を行なうようにしている編集画面を編集対象ドキュメントのブラウザ画面形式編集画面と呼ぶことにする。典型的な編集対象ドキュメントは、ＨＴＭＬやＸＭＬ等のマークアップ言語で記述されているが、ブラウザ画面形式編集画面には、マークアップ言語のタグ（例：＜・・・＞）がそのまま、表示されることはない。ブラウザ画面形式編集画面データ生成手段１０４は、ブラウザ画面形式編集画面１２８を生成するためのデータとしてのブラウザ画面形式編集画面データを、管理対象ドキュメント１２５の内容とＷｅｂページ構造情報１２７とに基づき生成する。ブラウザ画面形式編集画面生成手段１０５は、ブラウザ画面形式編集画面１２８をブラウザ画面形式編集画面データに基づき生成する。該当管理対象ドキュメント検出手段１０６は、ブラウザ画面形式編集画面１２８上の編集箇所に該当する箇所を含む管理対象ドキュメント１２５を該当管理対象ドキュメント１２５として検出する。同期手段１０７は、ブラウザ画面形式編集画面１２８上の編集作業に基づき該当管理対象ドキュメント１２５の内容をブラウザ画面形式編集画面１２８上の編集内容に同期させる。ブラウザ画面形式編集画面生成手段１０５は、ブラウザ画面形式編集画面１２８上の編集作業に基づきブラウザ画面形式編集画面データをブラウザ画面形式編集画面１２８上の編集内容に整合させる。
【００２０】
図３はＷｅｂページ・オーサリング方法１４０のフローチャートである。ドキュメント別管理ステップＳ１４１では、編集対象Ｗｅｂページの関連ドキュメントを管理対象ドキュメント１２５としてその内容を個々に管理する。ドキュメント別構造情報導出ステップＳ１４２では、各管理対象ドキュメント１２５の内容から各管理対象ドキュメント１２５の構造情報をドキュメント別構造情報１２６として導出する。Ｗｅｂページ構造情報作成ステップＳ１４３では、各ドキュメント別構造情報１２６における組込み関連コードに基づきドキュメント別構造情報１２６を結合することにより編集対象Ｗｅｂページの構造情報をＷｅｂページ構造情報として作成する。ブラウザ画面形式編集画面データ生成ステップＳ１４４では、ブラウザ画面形式編集画面１２８を生成するためのデータとしてのブラウザ画面形式編集画面データを、管理対象ドキュメント１２５の内容とＷｅｂページ構造情報とに基づき生成する。ブラウザ画面形式編集画面生成ステップＳ１４５では、ブラウザ画面形式編集画面１２８をブラウザ画面形式編集画面データに基づき生成する。該当管理対象ドキュメント１２５検出ステップＳ１４６では、ブラウザ画面形式編集画面１２８上の編集箇所に該当する箇所を含む管理対象ドキュメント１２５を該当管理対象ドキュメント１２５として検出する。同期ステップＳ１４７では、ブラウザ画面形式編集画面１２８上の編集作業に基づき該当管理対象ドキュメント１２５の内容をブラウザ画面形式編集画面１２８上の編集内容に同期させる。ブラウザ画面形式編集画面データ生成ステップＳ１４４では、ブラウザ画面形式編集画面１２８上の編集作業に基づきブラウザ画面形式編集画面データをブラウザ画面形式編集画面１２８上の編集内容に整合させる。
【００２１】
図１のＷｅｂページ・オーサリング装置１００及び図３のＷｅｂページ・オーサリング方法１４０は、発明のカテゴリがそれぞれ装置及び方法と相違するのみで、実質的な技術内容は同一であるので、まとめて説明する。
【００２２】
例えば、Ｗｅｂページは構造化ドキュメントであり、Ｗｅｂページの各関連ドキュメントは、構造化ドキュメント又は構造化ドキュメント生成用のドキュメントである。さらに具体的には、編集対象Ｗｅｂページは例えばＨＴＭＬドキュメントであり、管理対象ドキュメント１２５は、例えばＪＳＰドキュメント、ＨＴＭＬドキュメント、又はＸＭＬドキュメントである。組込み関係のある２個のドキュメントがあり、一方のドキュメントがその中に組込み関連コードを記述されて、他方のドキュメントを組込む場合に、一方及び他方のドキュメントをそれぞれ親ドキュメント及び子ドキュメントと呼ぶことにする。Ｗｅｂページ・オーサリング装置１００は、親ドキュメント及び子ドキュメントの両方を編集可能になっており、親ドキュメントのみしか編集をサポートしていないものではない。
【００２３】
典型的なＷｅｂシステムでは、ＷｅｂページはＨＴＭＬドキュメントである。複数個の編集対象ドキュメントが所定のＷｅｂページの関連ドキュメントである場合、それら複数個の編集対象ドキュメントの内の最上位の親ドキュメントは例えばＪＳＰドキュメントである。子ドキュメントはＪＳＰドキュメント、ＨＴＭＬドキュメント、又はＸＭＬドキュメントである。ＪＳＰドキュメントでは、Ｊａｖａ（登録商標）の記述がＨＴＭＬ内に適宜、埋め込まれ、もし、子ドキュメントがＪＳＰドキュメントであるならば、該子ドキュメントは、組込み関連コードを使って、さらに、他のドキュメントを自身の中に組込むことができる。したがって、共通の編集対象Ｗｅｂページの関連ドキュメントから任意に抽出された２個の管理対象ドキュメント同士は、直接の親子関係をもつ場合もあるし、連鎖する親子関係の両端の関係（ニ世代以上離れる先祖と子孫の関係）となっている場合もある。
【００２４】
（ａ）同一の子ドキュメントが、親ドキュメントの複数の箇所に組込まれる場合がある。あるいは、（ｂ）Ｗｅｂページ・オーサリング装置１００及びＷｅｂページ・オーサリング方法１４０では、複数のＷｅｂページを切替により編集可能になっており、１個のドキュメントが、子ドキュメントとして別々のＷｅｂページの親ドキュメントに組込まれる場合がある。Ｗｅｂページ・オーサリング装置１００及びＷｅｂページ・オーサリング方法１４０では、子ドキュメントは、１個の管理対象ドキュメント１２５としてドキュメント別管理手段１０１により一元管理する。したがって、（ａ）の場合には、子ドキュメントは、１個の親ドキュメントの複数の組込み箇所の中の１個の組込み箇所において、編集されれば、他の箇所において同一の編集を行なうことを省略できる。また、（ｂ）の場合には、複数の親ドキュメントの中の１個の親ドキュメントに係るブラウザ画面形式編集画面１２８上で、該子ドキュメントが編集されれば、他の親ドキュメントにおける編集を省略できる。
【００２５】
図５及び図６はそれぞれＷｅｂページ・オーサリング・ツール３３８のソース画面３３９における親ドキュメント３４０及び子ドキュメント３４４の表示状態を示している。Ｗｅｂページ・オーサリング・ツール３３８はＷｅｂページ・オーサリング装置１００の一実施例である。親ドキュメント３４０及び子ドキュメント３４４は、所定の編集対象Ｗｅｂページの関連ドキュメントの一例である。Ｗｅｂページ・オーサリング・ツール３３８は、編集対象ドキュメントをソース画面３３９、設計画面３４７（図７）及びプレビュー画面で表示することが可能になっている。設計画面３４７はブラウザ画面形式編集画面１２８の一例である。
【００２６】
ソース画面３３９は編集対象ドキュメントのソース・コードを表示し、親ドキュメント３４０は、それ自身のタグ内容と共に子ドキュメント３４４を組み込むことを示すタグがタグ内容として表示されている。親ドキュメント３４０及び子ドキュメント３４４は共にＪＳＰドキュメントであり、該親ドキュメント３４０のドキュメント名は、normalPage.jspである。子ドキュメント３４４のドキュメント名は、組込み関連コード３４１の記述<%@ include file="fragment.jsp" %>から明らかなように、fragment.jspである。なお、本明細書では、ドキュメントとは、実行型ファイルを除くすべてのファイルと定義する。該組込み関連コード３４１では、子ドキュメント３４４は該組込み関連コード３４１に係るノード位置に組込まれるが、別のノード位置に指定する組込み関連コードが将来的に生じる可能性を否定しないことを付言し、本発明はその場合にも適用可能である。
【００２７】
Ｗｅｂページ・オーサリング・ツール３３８のプレビュー画面では、ブラウザが起動し、ブラウザは、編集対象ドキュメントが実際にブラウザ画面に映し出された状態を再現する。Ｗｅｂページ・オーサリング・ツール３３８のプレビュー画面はブラウザ画面と同一である。ソース画面３３９では、個々のドキュメントについて表示されるのに対し、設計画面及びプレビュー画面では、組込み関連コードに基づきドキュメントを結合して生成された編集対象Ｗｅｂページが表示される。
【００２８】
図５のソース画面３３９は、画面サイズの制約上、親ドキュメント３４０の一部としての末尾部分のみを表示しており、親ドキュメント３４０の先頭部分はソース画面３３９に見えていない。編集者は、右のスクロール・バーをマウスによりドラッグすることにより、親ドキュメント３４０の任意部分を編集することができるようになっている。組込み関連コード３４１は親ドキュメント３４０のボディ（ＢＯＤＹ）領域（"<body>"と、終了タグ"</body>"とで囲まれた領域のこと）に記述されている。
【００２９】
図７はＷｅｂページ・オーサリング・ツール３３８の設計画面３４７における親ドキュメント３４０の表示状態を示している。設計画面３４７はブラウザ画面形式編集画面１２８（図１及び図３）の一例である。組込み枠線３４８は、設計画面３４７における子ドキュメント３４４の組込まれ位置を明示するために、図に付加したものであり、実際の設計画面３４７には表示されない。しかしながら、編集者が、編集上、子ドキュメント３４４がどこにあるかを知るために、所定の操作を行なって、組込み枠線３４８が表示されるようになっていてもよい。Ｗｅｂページ・オーサリング・ツール３３８では、同一の編集対象Ｗｅｂページに関して、見た目の表示は、設計画面３４７及びプレヒュー画面共に同一であるが、リンクの埋め込まれたテキスト、画像等に関して、プレビュー画面では、それをクリックすると、リンク先のＷｅｂページへ切替わってしまうのに対し、設計画面３４７ではそのようなことがない。編集者は、ソース画面３３９（図５及び図６）において、親ドキュメント３４０及び子ドキュメント３４４のソース・コードを直接編集できるとともに、設計画面３４７では、親ドキュメント３４０及び子ドキュメント３４４が関連ドキュメントとなっている編集対象ドキュメントのブラウザ画面と同一の画面表示状態で、すなわちＨＴＭＬのタグの具体的内容やＪＳＰのコマンドを知らなくても、親ドキュメント３４０及び子ドキュメント３４４を編集できるようになっている。
【００３０】
図８はＷｅｂページ・オーサリング・ツール３３８の処理機能説明図である。今回の編集対象ＷｅｂページをＷｅｂページＷ（Ｗの符号は図示していない。説明の便宜上、特定のＷｅｂページを指示するために、Ｗを用いる。）とし、ドキュメントＡ，Ｂ，ＣはＷｅｂページＷの関連ドキュメントであるものとする。また、ドキュメントＡは親ドキュメントであり、ドキュメントＢ，Ｃは、ドキュメントＡの別々の箇所に組込まれる子ドキュメントとする。ドキュメントＡ，Ｂ，Ｃがすでにファイル・システム３５５に保存されている場合、すなわち、ＷｅｂページＷの今回の編集が再編集である場合を考える。なお、ファイル・システム３５５は、補助記憶装置２２４の一例であり、典型的には、Ｗｅｂページ・オーサリング・ツール３３８が実装されているパーソナル・コンピュータのローカル・ドライブとして存在する。編集者がドキュメントＡ又はＷｅｂページＷを入力指定すると、Ｗｅｂページ・オーサリング・ツール３３８はドキュメントＡをファイル・システム３５５からロードする。Ｗｅｂページ・オーサリング・ツール３３８は、ロードしたドキュメントＡについて、その組込み関連コードを調査し、組込み関連コードがあれば、組込み関連コードに基づきドキュメントＡに組込む子ドキュメントとしてのドキュメントＢ，Ｃをファイル・システム３５５からロードする。ドキュメントＢ，Ｃにさらにそれらの子ドキュメントがある場合も、ドキュメントＡの場合と同様とする。なお、ドキュメントＡにおける組込み関連コードの調査は、ドキュメントＡについてのＤＯＭ情報３６１ａの作成に併せて、行なってもよい。
【００３１】
Ｗｅｂページ・オーサリング・ツール３３８は、ロードした各ドキュメントＡ，Ｂ，ＣについてそれぞれＤＯＭ情報３６１ａ，ｂ，ｃを作成し、それらはＤＯＭリスト３６２として管理される。ＤＯＭ（Document Object Model）自体は、ＸＭＬにおいて周知の構造情報である。ＤＯＭリスト３６２では、さらに、親ドキュメントの組込み関連コードに係る組込み関連ノード３６３ｂ，ｃと該組込み関連コードにより親ドキュメントへ組込まれる子ドキュメントとのリンク情報３６４ｂ，ｃも管理される。ＤＯＭリスト３６２におけるドキュメントＡ，Ｂ，Ｃごとの内容管理はＷｅｂページ・オーサリング装置１００のドキュメント別管理手段１０１及びＷｅｂページ・オーサリング方法１４０のＳ１４１における管理対象ドキュメント１２５の管理に対応する。ＤＯＭ情報３６１ａ，ｂ，ｃの導出はＷｅｂページ・オーサリング装置１００のドキュメント別構造情報導出手段１０２及びＷｅｂページ・オーサリング方法１４０のＳ１４２のドキュメント別構造情報１２６の導出に対応する。組込み関連ノード３６３ｂ，ｃ及びリンク情報３６４ｂ，ｃは、Ｗｅｂページ・オーサリング装置１００のＷｅｂページ構造情報作成手段１０３及びＷｅｂページ・オーサリング方法１４０のＳ１４３におけるＷｅｂページ構造情報１２７の作成処理の基になる情報の一例である。
【００３２】
ビュー・オブジェクト・ツリー３７０は、ＷｅｂページＷ全体のＤＯＭ情報に対応し、ＤＯＭ情報３６１ａ，ｂ，ｃ、組込み関連ノード３６３及びリンク情報３６４に基づき作成される。ビュー・オブジェクト・ツリー３７０では、親ドキュメントとしてのドキュメントＡの組込み関連ノード３６３ｂ，ｃとそれにリンクされる子ドキュメントとしてのドキュメントＢ，Ｃのルート・ノード３７１ｂ，ｃとは一体化されて管理される。ビュー・オブジェクト・ツリー３７０はＷｅｂページ構造情報１２７の一例である。
【００３３】
ビュー・オブジェクト・ツリー３７０の各ノードは、ドキュメントＡ，Ｂ，Ｃのドキュメント内容も含んでおり、設計画面３４７を生成するための編集画面データは、ビュー・オブジェクト・ツリー３７０に基づいて生成される。設計画面３４７は該編集画面データに基づき生成される。設計画面３４７は、図８においても、図７の設計画面３４７と同一内容のものが記載されているが、実際には、図８の設計画面３４７では、各ドキュメントＡ，Ｂ，ＣにおいてＷｅｂページに表示するものとして定義したテキストや画像等のビュー・オブジェクトが、それらがブラウザ画面において表示される視覚態様とほぼ同一の視覚態様（ブラウザ画面形式編集画面の視覚態様）で表示される。
【００３４】
編集者は設計画面３４７上でＷｅｂページＷの編集を行なう。設計画面３４７における編集内容は、例えば、文章、スタイル（スタイルには例えばレイアウト、及び文字のフォントやサイズ等を含むものとする。）、及び他ドキュメントの組込みに係る編集である。編集内容は、テキストだけでなく、画像に及んでもよい。Ｗｅｂページ・オーサリング・ツール３３８が十分な編集機能を装備すれば、編集者は、画像の編集に関して、単に、画像の挿入、削除だけでなく、画像の内容自体の編集も設計画面３４７上で行なうことが可能である。また、編集者は、設計画面３４７において、自分が今編集している箇所がドキュメントＡ，Ｂ，Ｃの内、どのドキュメントにあるかを意識することなく、編集できる。
【００３５】
編集機能部３８０は、編集者による設計画面３４７における編集内容を監視する。編集機能部３８０の処理は、Ｗｅｂページ・オーサリング装置１００の該当管理対象ドキュメント検出手段１０６及び同期手段１０７、並びにＷｅｂページ・オーサリング方法１４０のＳ１４６，Ｓ１４７の具体的処理に相当する。編集機能部３８０は、該監視に基づき、設計画面３４７における編集箇所に対応する箇所を含むドキュメントがドキュメントＡ，Ｂ，Ｃのどれに該当するかを検出する。そして、設計画面３４７上の内容が更新されしだい、その更新内容を該当ドキュメントＡ，Ｂ又はＣの内容に反映させる。設計画面３４７において、ノードの追加、削除に相当する編集が行なわれた場合には、ＤＯＭ情報３６１ａ，ｂ又はｃにおいてノードの追加又は削除が行なわれる。設計画面３４７において、組込み位置の変更が行なわれた場合には、それに同期して、ＤＯＭリスト３６２において組込み関連ノード３６３ｂ，ｃ及びリンク情報３６４ｂ，ｃ等が変更される。設計画面３４７において、子ドキュメントの新規組込みや子ドキュメントの組込み解除に相当する編集が行なわれた場合には、それに同期して、ＤＯＭリスト３６２において新規ＤＯＭ情報の追加や、リンク情報の解消が行なわれる。
【００３６】
ビュー・オブジェクト・ツリー３７０は、ＤＯＭリスト３６２におけるＤＯＭ情報３６１ａ，ｂ，ｃの更新に伴い、更新される。これにより、設計画面３４７の内容とビュー・オブジェクト・ツリー３７０との整合が維持される。この整合プロセスをさらに具体的に説明すると、最初のステップ（ａ）では、編集者は、設計画面３４７上において編集を行なう。ステップ（ａ）では、編集者による編集に対して、設計画面３４７はまだ、変更されない。次のステップ（ｂ）では、該当のＤＯＭ情報３６１ａ，ｂ又はｃの内容が更新される。この結果、ＤＯＭ情報３６１ａ，ｂ又はｃの内容と設計画面３４７の内容とに差分が生じる。ステップ（ｃ）では、ビュー・オブジェクト・ツリー３７０がＤＯＭ情報３６１ａ，ｂ又はｃの内容に基づき更新される。（ａ）から（ｃ）までは、ほぼ瞬時に進むので、編集者は、設計画面３４７が自分の入力したばかりの内容をそのまま表示しているように見ることができる。
【００３７】
こうして、Ｗｅｂページ・オーサリング・ツール３３８では、親子関係の複数個のドキュメントＡ，Ｂ，Ｃが１個のＷｅｂページＷの関連ドキュメントとなっている場合に、ＷｅｂページＷを表示するブラウザ画面とほぼ同一の表示態様の設計画面３４７が生成され、編集者は設計画面３４７においてドキュメントＡ，Ｂ，Ｃを一括編集することができる。
【００３８】
図１及び図３に戻り、Ｗｅｂページ・オーサリング装置１００及びＷｅｂページ・オーサリング方法１４０の追加機能及び追加処理について説明する。
【００３９】
Ｗｅｂページ・オーサリング装置１００のブラウザ画面形式編集画面データ生成手段１０４は、ブラウザ画面形式編集画面データをブラウザ画面形式編集画面上の編集内容に整合させるために、管理対象ドキュメント１２５の内容とＷｅｂページ構造情報１２７との同期に基づきブラウザ画面形式編集画面データを更新する。同様に、Ｗｅｂページ・オーサリング方法１４０のＳ１４４では、ブラウザ画面形式編集画面データをブラウザ画面形式編集画面上の編集内容に整合させるために、管理対象ドキュメント１２５の内容とＷｅｂページ構造情報１２７との同期に基づきブラウザ画面形式編集画面データを更新する。
【００４０】
ブラウザ画面形式編集画面１２８上において進行する編集者による編集内容が、ブラウザ画面形式編集画面１２８に反映されるプロセスの典型例は次のとおりである。
（ａ）ブラウザ画面形式編集画面１２８上において進行する編集者による編集内容が該当の管理対象ドキュメント１２５の内容に反映される。この時は、まだ、ブラウザ画面形式編集画面１２８は変更されない。
（ｂ）管理対象ドキュメント１２５の内容更新に基づきＷｅｂページ構造情報１２７が更新される。
（ｃ）ブラウザ画面形式編集画面データの更新を経て、ブラウザ画面形式編集画面１２８が更新される。
【００４１】
図２は機能を追加したＷｅｂページ・オーサリング装置１００の主要部機能ブロック図である。図４は処理を追加したＷｅｂページ・オーサリング方法１４０の主要部のフローチャートである。Ｗｅｂページ・オーサリング装置１００のセービング手段１１２は、編集対象Ｗｅｂページを補助記憶装置１１６にセーブする場合、該編集対象Ｗｅｂページの関連管理対象ドキュメント１２５であって少なくとも内容更新のあった（典型的には全部の）管理対象ドキュメント１２５をセーブする。ローディング手段１１３は、編集対象Ｗｅｂページをその編集開始に先立ち補助記憶装置１１６からロードする場合、該編集対象Ｗｅｂページの関連ドキュメントを全部、ロードする。ドキュメント別管理手段１０１は、ロードされた関連ドキュメントを管理対象ドキュメント１２５としてその内容を個々に管理する。同様に、Ｗｅｂページ・オーサリング方法１４０のセービング・ステップＳ１５０では、編集対象Ｗｅｂページを補助記憶装置１１６にセーブする場合、該編集対象Ｗｅｂページの関連管理対象ドキュメント１２５であって少なくとも内容更新のあった（典型的には全部の）管理対象ドキュメント１２５をセーブする。ローディング・ステップＳ１５１では、編集対象Ｗｅｂページをその編集開始に先立ち補助記憶装置１１６からロードする場合、該編集対象Ｗｅｂページの関連ドキュメントを全部、ロードする。Ｓ１４１では、ロードされた関連ドキュメントを管理対象ドキュメント１２５としてその内容を個々に管理する。こうして、ブラウザ画面形式編集画面１２８において編集されたＷｅｂページの関連ドキュメントは、支障なく、補助記憶装置１１６にセーブされ、また、再編集の折りには、補助記憶装置１１６からＷｅｂページ・オーサリング装置１００へロードされる。
【００４２】
或るドキュメントが別のドキュメントを組込む場合に或るドキュメントの階層は別のドキュメントの階層より１個上位の階層であるとする階層関係をドキュメント間に定義し、編集対象Ｗｅｂページの関連管理対象ドキュメント１２５の内、階層が最上位である管理対象ドキュメント１２５を最上位管理対象ドキュメント１２５と呼ぶことにする。Ｗｅｂページ・オーサリング装置１００のローディング手段１１３は、再編集する編集対象Ｗｅｂページの関連管理対象ドキュメント１２５の中から、最初に最上位管理対象ドキュメント１２５をロードする。ローディング手段１１３は、また、ロードした管理対象ドキュメント１２５に、該管理対象ドキュメント１２５より階層が１個下位の管理対象ドキュメント１２５が組込まれるようになっている場合には、該１個下位の管理対象ドキュメント１２５を補助記憶装置１１６からロードする。同様に、Ｗｅｂページ・オーサリング方法１４０のＳ１５１では、再編集する編集対象Ｗｅｂページの関連管理対象ドキュメント１２５の中から、最初に最上位管理対象ドキュメント１２５をロードする。Ｓ１５１では、また、ロードした管理対象ドキュメント１２５に、該管理対象ドキュメント１２５より階層が１個下位の管理対象ドキュメント１２５が組込まれるようになっている場合には、該１個下位の管理対象ドキュメント１２５を補助記憶装置１１６からロードする。こうして、１個の編集対象Ｗｅｂページの関連ドキュメントが、すでに、補助記憶装置１１６に蓄積されていて、該編集対象Ｗｅｂページを再編集する場合には、関連ドキュメントを支障なく補助記憶装置１１６からロードすることができる。
【００４３】
図１において、同期手段１０７は、ブラウザ画面形式編集画面１２８上において編集対象ドキュメントが新規追加される編集作業が行なわれた場合には、該編集対象ドキュメントに対応付ける管理対象ドキュメント１２５を追加するように、ブラウザ画面形式編集画面１２８上のドキュメントの追加に管理対象ドキュメント１２５の追加を同期させる。同様に、図３において、Ｓ１４７では、ブラウザ画面形式編集画面１２８上において編集対象ドキュメントが新規追加される編集作業が行なわれた場合には、該編集対象ドキュメントに対応付ける管理対象ドキュメント１２５を追加するように、ブラウザ画面形式編集画面１２８上のドキュメントの追加に管理対象ドキュメント１２５の追加を同期させる。編集対象Ｗｅｂページを新規作成する場合には、親ドキュメントの新規追加が必要となり、また、親ドキュメントへ組込む子ドキュメントを新規作成する場合には、子ドキュメントの新規追加が必要になる。ブラウザ画面形式編集画面１２８におけるドキュメントの追加に併せて、管理対象ドキュメント１２５が新規に追加され、これにより、ブラウザ画面形式編集画面１２８における編集対象ドキュメントの新規追加編集に対処できる。
【００４４】
同期手段１０７は、ブラウザ画面形式編集画面１２８上において編集対象ドキュメントが削除される編集作業が行なわれた場合には、該当管理対象ドキュメント１２５を削除するように、ブラウザ画面形式編集画面１２８上の編集対象ドキュメントの削除に該当管理対象ドキュメント１２５の削除を同期させる。同様に、Ｓ１４７では、ブラウザ画面形式編集画面１２８上において編集対象ドキュメントが削除される編集作業が行なわれた場合には、該当管理対象ドキュメント１２５を削除するように、ブラウザ画面形式編集画面１２８上の編集対象ドキュメントの削除に該当管理対象ドキュメント１２５の削除を同期させる。これにより、ブラウザ画面形式編集画面１２８における編集対象ドキュメントの削除編集に対処できる。
【００４５】
なお、ブラウザ画面形式編集画面１２８上の編集では、子ドキュメントに相当する編集対象ドキュメントの組込み解除の編集が行なわれる場合がある。このような場合を、さらに、（ａ）該子ドキュメントについて、組込み箇所が複数個存在するときと、（ｂ）該子ドキュメントについて、組込み箇所が１個しか存在しないときとに分けて考える。典型的なＷｅｂページ・オーサリング装置１００及びＷｅｂページ・オーサリング方法１４０では、（ａ）のときでは、リンク情報３６４ｂ，ｃ（図８）だけを解消するように、ブラウザ画面形式編集画面１２８上の編集対象ドキュメントの組込み解除に該当管理対象ドキュメント１２５の組込み解除を同期させる。また、（ｂ）のときでは、同期手段１０７は、該当管理対象ドキュメント１２５は削除するように、ブラウザ画面形式編集画面１２８上の編集対象ドキュメントの組込み解除に該当管理対象ドキュメント１２５の削除を同期させる。
【００４６】
ドキュメント別構造情報１２６は木構造情報であり、Ｗｅｂページ構造情報１２７は、或る管理対象ドキュメント１２５の木構造情報における組込み関連コード用ノードに対し、該組込み関連コード用ノードにより或る管理対象ドキュメント１２５へ組込まれる別の管理対象ドキュメント１２５のルート・ノードを結合する管理対象ドキュメント間関係により、全部の管理対象ドキュメント１２５の木構造情報を結合した木構造情報である。木構造情報としてのドキュメント別構造情報１２６の一例は図８のＤＯＭ情報３６１ａ，ｂ，ｃであり、木構造情報としてのＷｅｂページ構造情報１２７の一例は図８のビュー・オブジェクト・ツリー３７０である。
【００４７】
図９はＷｅｂページ用ドキュメントにおけるＣＳＳ（Ｃａｓｃａｄｉｎｇ  Ｓｔｙｌｅ  Ｓｈｅｅｔ）指定の記述例を示している。ＣＳＳは、ブラウザ画面におけるビュー・オブジェクトのスタイルを記述する外部ファイルの一例である。図９（ａ）は外部ファイルとしてのＣＳＳの直接的な記述例であり、ＪＳＰドキュメント４０１のヘッド（ＨＥＡＤ）に、<LINK href="mystyle.css" rel="styledheet">が記述され、ファイル名mystyle.cssのファイルがＣＳＳとして指定される。図９（ｂ）は外部ファイルとしてのＣＳＳの間接的な記述例であり、ＪＳＰドキュメント４０４のヘッドにおける<%@ include file="fragment2.jsp" %>に基づき、フラグメント・ファイル４０５の記述が解釈され、フラグメント・ファイル４０５の<LINK href="mystyle.css" rel="styledheet">の記述によりファイル名mystyle.cssのファイルがＣＳＳとして指定される。
【００４８】
図１０はＷｅｂページ・オーサリング・ツール４１０のブラウザ画面形式編集画面４１１の表示例を示している。Ｗｅｂページ・オーサリング・ツール４１０はＷｅｂページ・オーサリング装置２００の一例であり、ブラウザ画面形式編集画面４１１はブラウザ画面形式編集画面２２１の一例である。段落の種類に関して、例えば、段落４１５は見出し、段落４１６は標準、段落４１７はリストをそれぞれ設定されている。ブラウザ画面形式編集画面４１１に表示されている編集対象Ｗｅｂページは、段落のスタイルについて外部ファイルとしてのＣＳＳを使用しており、該ＣＳＳでは、段落４１５は青色文字、段落４１６は緑色文字、段落４１７は背景色が赤色に設定され、図面のブラウザ画面形式編集画面４１１は、モノクロ表示のために、色に関するスタイルは分かり難くなっているが、実際のブラウザ画面形式編集画面４１１では、各段落は、そのような色設定とおりに表示される。
【００４９】
Ｗｅｂページ・オーサリング装置１００及びＷｅｂページ・オーサリング方法１４０における管理対象ドキュメント１２５は、ＣＳＳの指定や、スタイル・タグを含む場合がある。その場合、そのようなスタイルは、ブラウザ画面形式編集画面１２８における親ドキュメントに係るビュー・オブジェクトだけでなく子ドキュメントに係るビュー・オブジェクトに適用される。
【００５０】
図１１は本発明のプログラムが実装されるコンピュータ５５０の概略構成図である。本発明のＷｅｂページ・オーサリング・プログラムは、Ｗｅｂページ・オーサリング装置１００及びＷｅｂページ・オーサリング装置２００の各手段としてコンピュータ５５０を機能させる。あるいは、本発明のＷｅｂページ・オーサリング・プログラムは、Ｗｅｂページ・オーサリング方法１４０及びＷｅｂページ・オーサリング方法２４０の各ステップをコンピュータ５５０に実行させる。
【００５１】
本発明は、ハードウェア、ソフトウェア、又はハードウェア及びソフトウェアの組み合わせとして実現可能である。ハードウェアとソフトウェアとの組み合わせによる実行において、所定のプログラムを有するコンピュータ・システムにおける実行が本発明の典型的な実行例として挙げられる。その場合、該所定プログラムが該コンピュータ・システムにロードされ実行されることにより、該プログラムは、コンピュータ・システムを制御し、本発明に係る処理を実行させる。このプログラムは、任意の言語・コード・表記によって表現可能な命令群から構成される。そのような命令群は、システムが特定の機能を直接、又は（ａ）他の言語・コード・表記への変換、（ｂ）他の媒体への複製、のいずれか一方若しくは双方が行なわれた後に、実行することを可能にするものである。もちろん、本発明は、そのようなプログラム自体のみならず、プログラムを記録した媒体及びプログラム・プロダクトもその範囲に含むものである。本発明の機能を実行するためのプログラムは、フレキシブル・ディスク、ＭＯ、ＣＤ−ＲＯＭ、ＤＶＤ、ハード・ディスク装置、ＲＯＭ、ＭＲＡＭ、ＲＡＭ等の任意のコンピュータ読み取り可能な記録媒体に格納することができる。本発明のプログラムは、記録媒体への格納のために、通信回線で接続する他のコンピュータ・システムからダウンロードしたり、他の記録媒体から複製したりすることができる。また、本発明のプログラムは、圧縮し、又は複数に分割して、単一又は複数の記録媒体に格納することもできる。
【００５２】
コンピュータ本体５５１はＣＰＵ５５２及び主記憶装置５５３を含み、ＣＰＵ５５２はさらに演算装置５５４及び制御装置５５５を含む。演算装置５５４は、演算、比較及び判断等を行い、制御装置５５５は主記憶装置５５３や演算装置５５４等を制御する。システムバス５６０は、データバス、アドレスバス及び制御バスから成り、ＣＰＵ５５２、主記憶装置５５３、入力インターフェース５６５、入出力インターフェース５６６、及び出力インターフェース５６７が接続されている。入力装置５７０は例えばキーボードや読出し専用ＣＤドライブ等であり、データを入力インターフェース５６５を介してシステムバス５６０へ送る。補助記憶装置５７１は、例えば、ＨＤ（ハード・ディスク）装置や読書き可能なＣＤドライブ等であり、入出力インターフェース５６６を介してシステムバス５６０とデータを送受する。出力装置５７２は、例えばディスプレイやプリンタであり、出力インターフェース５６７を介してシステムバス５６０からのデータを受ける。本発明のプログラムは、例えばＨＤ装置等の補助記憶装置５７１に保存され、実行時には主記憶装置５５３へ読み込まれる。 
【図面の簡単な説明】
【００５３】
【図１】第１のＷｅｂページ・オーサリング装置の機能ブロック図である。
【図２】機能を追加した第１のＷｅｂページ・オーサリング装置の主要部機能ブロック図である。
【図３】第１のＷｅｂページ・オーサリング方法のフローチャートである。
【図４】処理を追加した第１のＷｅｂページ・オーサリング方法の主要部のフローチャートである。
【図５】第２のＷｅｂページ・オーサリング装置の機能ブロック図である。
【図６】追加機能を装備した第２のＷｅｂページ・オーサリング装置の主要部の機能ブロック図である。
【図７】第２のＷｅｂページ・オーサリング方法のフローチャートである。
【００５４】
【図８】追加処理を装備する第２のＷｅｂページ・オーサリング方法の主要部のフローチャートである。
【図５】Ｗｅｂページ・オーサリング・ツールのソース画面における親ドキュメント及び子ドキュメントの表示状態を示す図である。
【図６】Ｗｅｂページ・オーサリング・ツールのソース画面における子ドキュメントの表示状態を示す図である。
【図７】Ｗｅｂページ・オーサリング・ツールの設計画面における親ドキュメントの表示状態を示す図である。
【図８】Ｗｅｂページ・オーサリング・ツールの処理機能説明図である。
【図９】Ｗｅｂページ用ドキュメントにおけるＣＳＳの指定の記述例を示す図である。
【図１０】Ｗｅｂページ・オーサリング・ツールのブラウザ画面形式編集画面の表示例を示す図である。
【００５５】
【図１１】本発明のプログラムが実装されるコンピュータの概略構成図である。
【図１２】従来のＷｅｂページ・オーサリング・ツールのブラウザ画面近似編集画面における親ドキュメントの表示状態を示す図である。
【図１３】従来のＷｅｂページ・オーサリング・ツールによるブラウザ画面形式のフレーム編集画面を示す図である。
【図１４】ワードプロセッサとしてのＭｉｃｒｏｓｏｆｔ（登録商標）  Ｗｏｒｄの編集画面を示す図である。
【符号の説明】
【００５６】
１００：Ｗｅｂページ・オーサリング装置、１０１：ドキュメント別管理手段、１０２：ドキュメント別構造情報導出手段、１０３：Ｗｅｂページ構造情報作成手段、１０４：ブラウザ画面形式編集画面データ生成手段、１０５：ブラウザ画面形式編集画面生成手段、１０６：該当管理対象ドキュメント検出手段、１０７：同期手段、１１２：セービング手段、１１３：ローディング手段、１１６：補助記憶装置、１２５：管理対象ドキュメント、１２６：ドキュメント別構造情報、１２７：Ｗｅｂページ構造情報、１２８：ブラウザ画面形式編集画面、１４０：Ｗｅｂページ・オーサリング方法。
【図１】
2006163535.tif 000003
【図２】
2006163535.tif 000004
【図３】
2006163535.tif 000005
【図４】
2006163535.tif 000006
【図５】
2006163535.tif 000007
【図６】
2006163535.tif 000008
【図７】
2006163535.tif 000009
【図８】
2006163535.tif 000010
【図９】
2006163535.tif 000011
【図１０】
2006163535.tif 000012
【図１１】
2006163535.tif 000013
【図１２】
2006163535.tif 000014
【図１３】
2006163535.tif 000015
【図１４】
2006163535.tif 000016
【手続補正書】
【提出日】平成17年1月13日(2005.1.13)
【手続補正１】
【補正対象書類名】明細書
【補正対象項目名】００５３
【補正方法】変更
【補正の内容】
【００５３】
【図１】第１のＷｅｂページ・オーサリング装置の機能ブロック図である。
【図２】機能を追加した第１のＷｅｂページ・オーサリング装置の主要部機能ブロック図である。
【図３】第１のＷｅｂページ・オーサリング方法のフローチャートである。
【図４】処理を追加した第１のＷｅｂページ・オーサリング方法の主要部のフローチャートである。
【図５】Ｗｅｂページ・オーサリング・ツールのソース画面における親ドキュメントの表示状態を示す図である。
【手続補正２】
【補正対象書類名】明細書
【補正対象項目名】００５４
【補正方法】変更
【補正の内容】
【００５４】
【図６】Ｗｅｂページ・オーサリング・ツールのソース画面における子ドキュメントの表示状態を示す図である。
【図７】Ｗｅｂページ・オーサリング・ツールの設計画面における親ドキュメントの表示状態を示す図である。
【図８】Ｗｅｂページ・オーサリング・ツールの処理機能説明図である。
【図９】Ｗｅｂページ用ドキュメントにおけるＣＳＳの指定の記述例を示す図である。
【図１０】Ｗｅｂページ・オーサリング・ツールのブラウザ画面形式編集画面の表示例を示す図である。